(57)【要約】【課題】優れた熱的耐久性を有する蓄電デバイスを提供する。【解決手段】第１の外部電極１８は、第１の金属キャップ１８ｃと、第１の接着層１８ｄとを有する。第１の金属キャップ１８ｃは、デバイス本体１０の第１の端面１０ｅ側の部分を覆っている。第１の接着層１８ｄは、第１の金属キャップ１８ｃと主面１０ａ、１０ｂ並びに側面１０ｃ、１０ｄの少なくとも一面とを接着している。第２の外部電極１９は、第２の金属キャップ１９ｃと、第２の接着層１９ｄとを有する。第２の金属キャップ１９ｃは、デバイス本体１０の第２の端面１０ｆ側の部分を覆っている。第２の接着層１９ｄは、第２の金属キャップ１９ｃと主面１０ａ、１０ｂ並びに側面１０ｃ、１０ｄの少なくとも一面とを接着している。第１及び第２の金属キャップ１８ｃ、１９ｃのそれぞれの端縁は、法線方向が長さ方向Ｌに対して傾斜した部分を含む。【選択図】図２
2019004099.tif 000002
【特許請求の範囲】
【請求項１】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有するデバイス本体であって、前記第１の端面に引き出された第１の内部電極と、前記第２の端面に引き出された第２の内部電極とを有するデバイス本体と、
前記デバイス本体の前記第１の端面側の部分を覆い、前記第１の内部電極と電気的に接続された第１の外部電極と、
前記デバイス本体の前記第２の端面側の部分を覆い、前記第２の内部電極と電気的に接続された第２の外部電極と、
を備え、
前記第１の外部電極は、
前記デバイス本体の前記第１の端面側の部分を覆う第１の金属キャップと、
前記第１の金属キャップと前記第１及び第２の主面並びに前記第１及び第２の側面の少なくとも一面とを接着している第１の接着層と、
を有し、
前記第２の外部電極は、
前記デバイス本体の前記第２の端面側の部分を覆う第２の金属キャップと、
前記第２の金属キャップと前記第１及び第２の主面並びに前記第１及び第２の側面の少なくとも一面とを接着している第２の接着層と、
を有し、
前記第１及び第２の金属キャップのそれぞれの端縁は、法線方向が長さ方向に対して傾斜した部分を含む、蓄電デバイス。
【請求項２】
前記第１及び第２の金属キャップのそれぞれの端縁は、波状の部分を含む、請求項１に記載の蓄電デバイス。
【請求項３】
前記第１の金属キャップの端縁の前記第１の主面上に位置している部分と、前記第２の主面上に位置している部分と、前記第１の側面上に位置している部分と、前記第２の側面上に位置している部分とが、それぞれ、幅方向に対して傾斜した部分を含み、
前記第２の金属キャップの端縁の前記第１の主面上に位置している部分と、前記第２の主面上に位置している部分と、前記第１の側面上に位置している部分と、前記第２の側面上に位置している部分とが、それぞれ、幅方向に対して傾斜した部分を含み、
前記第１の導電性接着層は、前記第１の金属キャップと前記第１及び第２の主面並びに前記第１及び第２の側面のそれぞれとを接着しており、
前記第２の導電性接着層は、前記第２の金属キャップと前記第１及び第２の主面並びに前記第１及び第２の側面のそれぞれとを接着している、請求項１又は２に記載の蓄電デバイス。
【請求項４】
前記第１の外部電極は、前記第１の端面と前記第１の金属キャップとを接着していると共に、前記第１の内部電極と前記第１の金属キャップとを電気的に接続している第１の導電性接着層をさらに有し、
前記第２の外部電極は、前記第２の端面と前記第２の金属キャップとを接着していると共に、前記第２の内部電極と前記第２の金属キャップとを電気的に接続している第２の導電性接着層をさらに有し、
前記第１及び第２の接着層は、それぞれ、前記第１及び第２の導電性接着層よりも低い水分透過度を有する、請求項３に記載の蓄電デバイス。 
【発明の詳細な説明】
【技術分野】
【０００１】
本発明は、蓄電デバイスに関する。
【背景技術】
【０００２】
従来、電気二重層コンデンサや二次電池などの蓄電デバイスが種々知られている。例えば特許文献１には、その一例が記載されている。特許文献１には、金属キャップを有する外部電極を備えた蓄電デバイスが記載されている。
【先行技術文献】
【特許文献】
【０００３】
【特許文献１】国際公開第２０１６／０３１２７０号公報
【発明の概要】
【発明が解決しようとする課題】
【０００４】
蓄電デバイスには、例えば、リフロー実装される場合など、温度が上昇する場合がある。ここで、蓄電デバイスのデバイス本体と金属キャップとでは、熱膨張率が異なる。通常、金属キャップの熱膨張率の方が、デバイス本体の熱膨張率よりも低い。このため、蓄電デバイスの温度が上昇した場合、金属キャップとデバイス本体の端面に露出している内部電極とが断線する虞がある。従って、蓄電デバイスには、熱的耐久性を向上したいという要望がある。
【０００５】
本発明の主な目的は、優れた熱的耐久性を有する蓄電デバイスを提供することにある。
【課題を解決するための手段】
【０００６】
本発明に係る蓄電デバイスは、デバイス本体と、第１の外部電極と、第２の外部電極とを備えている。デバイス本体は、第１及び第２の主面と、第１及び第２の側面と、第１及び第２の端面とを有する。第１及び第２の主面は、長さ方向及び幅方向に沿って延びている。第１及び第２の側面は、長さ方向及び厚み方向に沿って延びている。第１及び第２の端面は、幅方向及び厚み方向に沿って延びている。デバイス本体は、第１の内部電極と、第２の内部電極とを有する。第１の内部電極は、第１の端面に引き出されている。第２の内部電極は、第２の端面に引き出されている。第１の外部電極は、デバイス本体の第１の端面側の部分を覆っている。第１の外部電極は、第１の内部電極と電気的に接続されている。第２の外部電極は、デバイス本体の第２の端面側の部分を覆っている。第２の外部電極は、第２の内部電極と電気的に接続されている。第１の外部電極は、第１の金属キャップと、第１の接着層とを有する。第１の金属キャップは、デバイス本体の第１の端面側の部分を覆っている。第１の接着層は、第１の金属キャップと第１及び第２の主面並びに第１及び第２の側面の少なくとも一面とを接着している。第２の外部電極は、第２の金属キャップと、第２の接着層とを有する。第２の金属キャップは、デバイス本体の第２の端面側の部分を覆っている。第２の接着層は、第２の金属キャップと第１及び第２の主面並びに第１及び第２の側面の少なくとも一面とを接着している。第１及び第２の金属キャップのそれぞれの端縁は、法線方向が長さ方向に対して傾斜した部分を含む。このため、第１及び第２の金属キャップのそれぞれの端縁の長さが長い。よって、金属キャップとデバイス本体との長さ方向における接着力が高められている。従って、例えば、蓄電デバイスの温度が上昇し、金属キャップがデバイス本体に対して長さ方向の外側に変位しようとしたときにも、金属キャップがデバイス本体から剥離しにくい。よって、本発明に係る蓄電デバイスでは、外部電極と内部電極との破断等が生じにくく、優れた熱的耐久性が実現されている。
【０００７】
本発明に係る蓄電デバイスでは、第１及び第２の金属キャップのそれぞれの端縁は、波状の部分を含むことが好ましい。
【０００８】
本発明に係る蓄電デバイスでは、第１の金属キャップの端縁の第１の主面上に位置している部分と、第２の主面上に位置している部分と、第１の側面上に位置している部分と、第２の側面上に位置している部分とが、それぞれ、幅方向に対して傾斜した部分を含むことが好ましい。第２の金属キャップの端縁の第１の主面上に位置している部分と、第２の主面上に位置している部分と、第１の側面上に位置している部分と、第２の側面上に位置している部分とが、それぞれ、幅方向に対して傾斜した部分を含むことが好ましい。第１の導電性接着層は、第１の金属キャップと第１及び第２の主面並びに第１及び第２の側面のそれぞれとを接着していることが好ましい。第２の導電性接着層は、第２の金属キャップと第１及び第２の主面並びに第１及び第２の側面のそれぞれとを接着していることが好ましい。
【０００９】
本発明に係る蓄電デバイスでは、第１の外部電極は、第１の端面と第１の金属キャップとを接着していると共に、第１の内部電極と第１の金属キャップとを電気的に接続している第１の導電性接着層をさらに有していてもよい。第２の外部電極は、第２の端面と第２の金属キャップとを接着していると共に、第２の内部電極と第２の金属キャップとを電気的に接続している第２の導電性接着層をさらに有していてもよい。その場合、第１及び第２の接着層は、それぞれ、第１及び第２の導電性接着層よりも低い水分透過度を有することが好ましい。
【発明の効果】
【００１０】
本発明によれば、優れた熱的耐久性を有する蓄電デバイスを提供することができる。
【図面の簡単な説明】
【００１１】
【図１】本発明の一実施形態に係る蓄電デバイスの模式的斜視図である。
【図２】図１の線ＩＩ−ＩＩにおける模式的断面図である。
【図３】図２の線ＩＩＩ−ＩＩＩにおける模式的断面図である。
【図４】本発明の一実施形態に係る蓄電デバイスの第１の主面の模式的平面図である。
【図５】本発明の一実施形態に係る蓄電デバイスの第２の主面の模式的平面図である。
【図６】本発明の一実施形態に係る蓄電デバイスの第１の側面の模式的平面図である。
【図７】本発明の一実施形態に係る蓄電デバイスの第２の側面の模式的平面図である。
【発明を実施するための形態】
【００１２】
以下、本発明を実施した好ましい形態の一例について説明する。但し、下記の実施形態は、単なる例示である。本発明は、下記の実施形態に何ら限定されない。
【００１３】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１４】
図１は、本実施形態に係る蓄電デバイスの模式的斜視図である。図２は、図１の線ＩＩ−ＩＩにおける模式的断面図である。図３は、図２の線ＩＩＩ−ＩＩＩにおける模式的断面図である。
【００１５】
図１〜図３に示す蓄電デバイス１は、例えば、電気二重層コンデンサや、二次電池を構成するデバイスである。
【００１６】
蓄電デバイス１は、デバイス本体１０を備えている。図２及び図３に示すように、デバイス本体１０は、機能部１０Ａと、外装体１０Ｂとを有する。
【００１７】
機能部１０Ａは、少なくとも一部が蓄電デバイスとしての機能を発現する部分である。機能部１０Ａは、直方体状に設けられている。機能部１０Ａは、第１及び第２の主面１０ａ１，１０ｂ１と、第１及び第２の側面１０ｃ１，１０ｄ１（図３を参照。）と、第１及び第２の端面１０ｅ１、１０ｆ１（図２を参照。）とを有する。第１及び第２の主面１０ａ１，１０ｂ１は、長さ方向Ｌ及び幅方向Ｗに沿って延びている。第１の主面１０ａ１と第２の主面１０ｂ１とは、厚み方向Ｔにおいて対向している。図３に示すように、第１及び第２の側面１０ｃ１，１０ｄ１は、長さ方向Ｌ及び厚み方向Ｔに沿って延びている。第１の側面１０ｃ１と第２の側面１０ｄ１とは、幅方向Ｗにおいて対向している。図２に示すように、第１及び第２の端面１０ｅ１、１０ｆ１は、幅方向Ｗ及び厚み方向Ｔに沿って延びている。第１の端面１０ｅ１と第２の端面１０ｆ１とは、長さ方向Ｌにおいて対向している。
【００１８】
なお、本発明において、「直方体状」には、角部や稜線部が、面取り状や丸められた形状を有する直方体状が含まれるものとする。
【００１９】
機能部１０Ａは、第１の内部電極１１と、第２の内部電極１２と、電解質層１３とを有する。
【００２０】
第１の内部電極１１は、長さ方向Ｌ及び幅方向Ｗに沿って延びている。第１の内部電極１１は、第１及び第２の主面１０ａ１，１０ｂ１と平行に設けられている。第１の内部電極１１は、第１の端面１０ｅ１に引き出されている一方、第１及び第２の側面１０ｃ１，１０ｄ１並びに第２の端面１０ｆ１には引き出されていない。
【００２１】
第１の内部電極１１は、第１の集電体１１ａと、第１の活物質層１１ｂとを有する。
【００２２】
第１の集電体１１ａは、例えば、アルミニウム、銅等の少なくとも一種の金属からなる金属箔等により構成することができる。
【００２３】
なお、本発明において、「金属」には、合金が含まれるものとする。
【００２４】
第１の集電体１１ａの一方側の表面の上には、第１の活物質層１１ｂが設けられている。第１の活物質層１１ｂは、活物質を含む。蓄電デバイス１が電気二重層コンデンサを構成している場合には、第１の活物質層１１ｂは、分極性電極を構成している。蓄電デバイス１が電気二重層コンデンサを構成している場合は、分極性電極としての第１の活物質層１１ｂは、例えば、活性炭などの炭素材料を活物質として含んでいることが好ましい。
【００２５】
第２の内部電極１２は、長さ方向Ｌ及び幅方向Ｗに沿って延びている。第２の内部電極１２は、第１及び第２の主面１０ａ１，１０ｂ１と平行に設けられている。第２の内部電極１２は、第２の端面１０ｆ１に引き出されている一方、第１及び第２の側面１０ｃ１，１０ｄ１並びに第１の端面１０ｅ１には引き出されていない。第２の内部電極１２は、第１の内部電極１１に対して厚み方向Ｔに積層されている。第２の内部電極１２の第２の端面１０ｆ１側端部を除いた部分は、第１の内部電極１１の第１の端面１０ｅ１側端部を除いた部分と厚み方向Ｔにおいて対向している。
【００２６】
第２の内部電極１２は、第２の集電体１２ａと、第２の活物質層１２ｂとを有する。
【００２７】
第２の集電体１２ａは、例えば、アルミニウム、銅等の少なくとも一種の金属からなる金属箔により構成することができる。
【００２８】
第２の活物質層１２ｂは、第２の集電体１２ａの第１の内部電極１１側表面上に設けられている。第２の活物質層１２ｂは、第１の活物質層１１ｂと厚み方向Ｔにおいて対向している。第２の活物質層１２ｂは、活物質を含む。蓄電デバイス１が電気二重層コンデンサを構成している場合には、第２の活物質層１２ｂは、分極性電極を構成している。蓄電デバイス１が電気二重層コンデンサを構成している場合は、分極性電極としての第２の活物質層１２ｂは、例えば、活性炭などの炭素材料を活物質として含んでいることが好ましい。
【００２９】
第１の内部電極１１の第１の活物質層１１ｂと、第２の内部電極１２の第２の活物質層１２ｂとの間には、電解質層１３が設けられている。電解質層１３は、電解質を含む層である。電解質層１３は、ゲル状の電解質であるゲル電解質により構成されていてもよいし、電解液が含浸したセパレータ等の多孔質体により構成されていてもよい。ゲル電解質の具体例としては、例えば、電解質を含む高分子ポリエチレンオキサイド等が挙げられる。
【００３０】
電解質の具体例としては、例えば、ＥＭＩＴＦＳＩ（１−エチル−３−メチルイミダゾリウムビス（トリフルオロメタンスルホニル）イミド）、ＥＭＩＢＦ４（ホウフッ化１−エチル−３−メチルイミダゾリウム）等のイオン性液体、または，そのイオン性液体をプロピレンカーボネート，アセトニトリル等の有機溶媒に溶かしたものを用いることができるこれらの電解質のうちの１種のみを用いてもよいし、複数種類を混合して用いてもよい。
【００３１】
具体的には、本実施形態では、電解質層１３は、第１の電解質層１３ａと、第２の電解質層１３ｂとを有する。第１の電解質層１３ａは、第１の活物質層１１ｂの上に設けられている。一方、第２の電解質層１３ｂは、第２の活物質層１２ｂの上に設けられている。第１の電解質層１３ａと第２の電解質層１３ｂとは、電解質が相互に移動可能なように接触している。第１の電解質層１３ａと第２の電解質層１３ｂとは、密着していることが好ましい。
【００３２】
具体的には、本実施形態では、図２に示すように、第１の内部電極１１のうち、第１の集電体１１ａのみが第１の端面１０ｅ１に露出している。第２の内部電極１２のうち、第２の集電体１２ａのみが第２の端面１０ｆ１に露出している。第１の内部電極１１の第１の活物質層１１ｂ、第２の内部電極１２の第２の活物質層１２ｂ及び電解質層１３は、第１及び第２の端面１０ｅ、１０ｆに露出していない。
【００３３】
第１及び第２の活物質層１１ｂ、１２ｂ並びに電解質層１３と第１及び第２の端面１０ｅ１、１０ｆ１のそれぞれとの間には、絶縁層１５が設けられている。具体的には、絶縁層１５は、第１の絶縁層１５ａと、第２の絶縁層１５ｂとを有する。第１の絶縁層１５ａにより、第１の活物質層１１ｂ及び第１の電解質層１３ａが第１及び第２の端面１０ｅ１、１０ｆ１のそれぞれから隔離されている。第２の絶縁層１５ｂにより、第２の活物質層１２ｂ及び第２の電解質層１３ｂが第１及び第２の端面１０ｅ１、１０ｆ１のそれぞれから隔離されている。
【００３４】
図３に示すように、絶縁層１５は、第１及び第２の活物質層１１ｂ、１２ｂ並びに第１及び第２の電解質層１３ａ、１３ｂと、第１の側面１０ｃ１及び第２の側面１０ｄ１のそれぞれとを隔離するように設けられている。具体的には、第１の絶縁層１５ａにより、第１の活物質層１１ｂ及び第１の電解質層１３ａと第１及び第２の側面１０ｄ１のそれぞれとが隔離されている。すなわち、第１の絶縁層１５ａは、第１の活物質層１１ｂ及び第１の電解質層１３ａの第１及び第２の端面１０ｅ１、１０ｆ１側並びに第１及び第２の側面１０ｃ１，１０ｄ１側を覆うように設けられている。一方、第２の絶縁層１５ｂは、第２の活物質層１１ｂ及び第２の電解質層１３ｂと第１及び第２の側面１０ｃ１，１０ｄ１のそれぞれとを隔離している。すなわち、第２の絶縁層１５ｂは、第２の活物質層１１ｂ及び第２の電解質層１３ｂの第１及び第２の端面１０ｅ１、１０ｆ１側並びに第１及び第２の側面１０ｃ１，１０ｄ１側を覆うように設けられている。
【００３５】
なお、絶縁層１５は、例えば、ウレタン樹脂、アクリル樹脂、エポキシ樹脂、ポリイミド樹脂、シリコーン樹脂等により構成することができる。
【００３６】
本実施形態の蓄電デバイス１では、一対の第１及び第２の内部電極１１，１２、電解質層１３並びに絶縁層１５がひとつの蓄電ユニット１７を構成している。蓄電デバイス１では、蓄電ユニット１７が複数積層されており、この複数の蓄電ユニット１７の積層体が機能部１０Ａを構成している。なお、積層方向Ｔにおいて隣り合う蓄電ユニット１７は、接着層１６により接着されている。また、積層方向Ｔにおける最上層及び最下層のそれぞれに位置する蓄電ユニット１７は、外装体１０Ｂの内面に対して、接着層１６により接着されている。
【００３７】
もっとも、本発明は、上記構成に限定されない。例えば、本発明に係る蓄電デバイスは、蓄電ユニットをひとつのみ有していてもよい。蓄電ユニットは、電解質層を挟持する複数対の第１及び第２の内部電極１１，１２の積層体により構成されていてもよい。
【００３８】
機能部１０Ａの外側には、外装体１０Ｂが設けられている。この外装体１０Ｂは、機能部１０Ａへの水分等の侵入を抑制する機能や、機能部１０Ａからの電解液の漏洩を抑制する機能を有している。外装体１０Ｂは、例えば、ナフタレン系エポキシ樹脂等のエポキシ樹脂や液晶ポリマーなどにより構成することができる。
【００３９】
外装体１０Ｂは、機能部１０Ａの第１及び第２の主面１０ａ１，１０ｂ１並びに第１及び第２の側面１０ｃ１，１０ｄ１を覆うように設けられている。機能部１０Ａの第１及び第２の端面１０ｅ、１０ｆは、外装体１０Ｂから露出している。
【００４０】
この外装体１０Ｂと機能部１０Ａとにより構成されたデバイス本体１０は、直方体状である。デバイス本体１０は、長さ方向Ｌ及び幅方向Ｗに沿って延びる第１及び第２の主面１０ａ２，１０ｂ２と、長さ方向Ｌ及び厚み方向Ｔに沿って延びる第１及び第２の側面１０ｃ２，１０ｄ２（図３を参照）と、幅方向Ｗ及び厚み方向Ｔに沿って延びる第１及び第２の端面１０ｅ２，１０ｆ２とを有する。第１の端面１０ｅ２の少なくとも一部は、第１の端面１０ｅ１により構成されている。第２の端面１０ｆ２の少なくとも一部は、第２の端面１０ｆ１により構成されている。
【００４１】
図２に示すように、第１の端面１０ｅ１、１０ｅ２の上には、第１の内部電極１１に電気的に接続された第１の外部電極１８が設けられている。第１の外部電極１８は、第１の電極膜１８ａと、第１の導電性接着層１８ｂと、第１の金属キャップ１８ｃと、第１の接着層１８ｄとを有する。
【００４２】
第１の端面１０ｅ１、１０ｅ２の上には、第１の電極膜１８ａが設けられている。この第１の電極膜１８ａにより、第１の端面１０ｅ１、１０ｅ２の実質的に全体が覆われている。
【００４３】
第１の金属キャップ１８ｃは、デバイス本体１０の第１の端面１０ｅ１、１０ｅ２側の部分を覆っている。具体的には、第１の金属キャップ１８ｃは、第１の端面１０ｅ１、１０ｅ２と、第１及び第２の主面１０ａ２，１０ｂ２並びに第１及び第２の側面１０ｃ２，１０ｄ２のそれぞれの第１の端面１０ｅ１、１０ｅ２側の部分を覆っている。第１の金属キャップ１８ｃと第１の電極膜１８ａとの間には、第１の導電性接着層１８ｂが設けられている。この第１の導電性接着層１８ｂにより、第１の金属キャップ１８ｃと第１の電極膜１８ａとが電気的に接続されている。
【００４４】
第１の金属キャップ１８ｃは、第１の接着層１８ｄによりデバイス本体１０に接着されている。具体的には、第１の金属キャップ１８ｃは、デバイス本体１０の第１及び第２の主面１０ａ２、１０ｂ２並びに第１及び第２の側面１０ｃ２、１０ｄ２の少なくとも一面に対して第１の接着層１８ｄにより接着されている。より具体的には、本実施形態では、第１の金属キャップ１８ｃは、デバイス本体１０の第１及び第２の主面１０ａ２、１０ｂ２並びに第１及び第２の側面１０ｃ２、１０ｄ２のそれぞれに対して第１の接着層１８ｄにより接着されている。第１の接着層１８ｄは、第１の金属キャップ１８ｃの第１及び第２の主面１０ａ２、１０ｂ２並びに第１及び第２の側面１０ｃ２、１０ｄ２のそれぞれの上に位置している部分の少なくとも端縁部と、デバイス本体１０とを接着している。もっとも、本発明において、第１の接着層が第１の金属キャップの端縁部の全体とデバイス本体とを接着している必要は必ずしもない。第１の接着層は、第１の金属キャップの端縁部の５％以上の部分とデバイス本体とを接着していることが好ましく、５０％以上の部分とデバイス本体とを接着していることがより好ましく、実質的に全体とデバイス本体とを接着していることがさらに好ましい。
【００４５】
第２の端面１０ｆ１、１０ｆ２の上には、第２の内部電極１２に電気的に接続された第２の外部電極１９が設けられている。この第２の外部電極１９と上記第１の外部電極１８とにより機能部１０Ａの外装体１０Ｂからの露出部（第１及び第２の端面１０ｅ１，１０ｆ１）が覆われている。第２の外部電極１９は、第２の電極膜１９ａと、第２の導電性接着層１９ｂと、第２の金属キャップ１９ｃと、第２の接着層１９ｄとを有する。
【００４６】
第２の端面１０ｆ１、１０ｆ２の上には、第２の電極膜１９ａが設けられている。この第２の電極膜１９ａにより、第２の端面１０ｆ１、１０ｆ２の実質的に全体が覆われている。
【００４７】
第２の金属キャップ１９ｃは、デバイス本体１０の第２の端面１０ｆ２側の部分を覆っている。具体的には、第２の金属キャップ１９ｃは、第２の端面１０ｆ２と、第１及び第２の主面１０ａ２，１０ｂ２並びに第１及び第２の側面１０ｃ２，１０ｄ２のそれぞれの第２の端面１０ｆ２側の部分を覆っている。第２の金属キャップ１９ｃと第２の電極膜１９ａとの間には、第２の導電性接着層１９ｂが設けられている。この第２の導電性接着層１９ｂにより、第２の金属キャップ１９ｃと第２の電極膜１９ａとが電気的に接続されている。
【００４８】
第２の金属キャップ１９ｃは、第２の接着層１９ｄによりデバイス本体１０に接着されている。具体的には、第２の金属キャップ１９ｃは、デバイス本体１０の第１及び第２の主面１０ａ２、１０ｂ２並びに第１及び第２の側面１０ｃ２、１０ｄ２の少なくとも一面に対して第２の接着層１９ｄにより接着されている。より具体的には、本実施形態では、第２の金属キャップ１９ｃは、デバイス本体１０の第１及び第２の主面１０ａ２、１０ｂ２並びに第１及び第２の側面１０ｃ２、１０ｄ２のそれぞれに対して第２の接着層１９ｄにより接着されている。第２の接着層１９ｄは、第２の金属キャップ１９ｃの第１及び第２の主面１０ａ２、１０ｂ２並びに第１及び第２の側面１０ｃ２、１０ｄ２のそれぞれの上に位置している部分の少なくとも端縁部と、デバイス本体１０とを接着している。もっとも、本発明において、第２の接着層が第２の金属キャップの端縁部の全体とデバイス本体とを接着している必要は必ずしもない。第２の接着層は、第２の金属キャップの端縁部の５０％以上の部分とデバイス本体とを接着していることが好ましく、５％以上の部分とデバイス本体とを接着していることがより好ましく、実質的に全体とデバイス本体とを接着していることがさらに好ましい。
【００４９】
第１及び第２の電極膜１８ａ、１９ａは、それぞれ、溶射膜により構成されていることが好ましい。第１及び第２の電極膜１８ａ、１９ａは、例えば、Ａｌ、Ｃｕ、Ａｌ−Ｓｉからなる群から選ばれた少なくとも一種の金属により構成することができる。
【００５０】
第１及び第２の金属キャップ１８ｃ、１９ｃは、例えば、アロイ（Ｆｅ−４２Ｎｉ合金）を含む母材やアルミニウム又はアルミニウム合金からなる母材や銅又は銅合金からなる母材と、母材の外表面を覆うＮｉ／Ａｇめっき、またはＮｉ/Ａｕめっきとにより構成することができる。
【００５１】
ところで、蓄電デバイス１をリフロー実装する際などにおいて、蓄電デバイス１の温度が上昇する場合がある。デバイス本体１０と金属キャップ１８ｃ、１９ｃとでは、一般的に、熱膨張率が異なる。通常、金属キャップ１８ｃ、１９ｃの熱膨張率が、デバイス本体１０の熱膨張率よりも小さい。このため、蓄電デバイス１の温度が上昇すると、金属キャップ１８ｃ、１９ｃの熱膨張量がデバイス本体１０の熱膨張量に対して相対的に小さくなり、金属キャップ１８ｃ、１９ｃがデバイス本体１０から剥離する虞がある。
【００５２】
ここで、蓄電デバイス１では、第１及び第２の金属キャップ１８ｃ、１９ｃのそれぞれの端縁１８Ａ，１９Ａは、法線方向が長さ方向Ｌに対して傾斜した部分を含んでいる。このため、第１及び第２の金属キャップ１８ｃ、１９ｃのそれぞれの端縁１８Ａ，１９Ａが長い。よって、金属キャップ１８ｃ、１９ｃとデバイス本体１０との長さ方向Ｌにおける接着力が高められている。従って、例えば、蓄電デバイス１の温度が上昇し、金属キャップ１８ｃ、１９ｃがデバイス本体１０に対して長さ方向Ｌの外側に移動しようとしたときにも、金属キャップ１８ｃ、１９ｃがデバイス本体１０から剥離しにくい。よって、蓄電デバイス１では、第１の外部電極１８と第１の内部電極１１との破断が生じにくい。第２の外部電極１９と第２の内部電極１２との破断が生じ難い。このため、蓄電デバイス１は、優れた熱的耐久性を有している。
【００５３】
蓄電デバイス１の温度が上昇したときの金属キャップ１８ｃ、１９ｃとデバイス本体１０との剥離をより効果的に抑制する観点からは、金属キャップ１８ｃ、１９ｃの接着層１８ｄ，１９ｄによりデバイス本体１０に対して接着されている端縁１８Ａ，１９Ａの長さが長い方が好ましい。よって、第１及び第２の金属キャップ１８ｃ、１９ｃのそれぞれの端縁１８Ａ，１９Ａが、波状の部分を含むことがより好ましい。
【００５４】
なお、本発明において「波状」とは、例えばサインカーブのように、一様の曲線部が定期的に繰り返し連続している形状のみならず、ランダムな曲線が不定期に繰り返し連続している形状も含むものとする。
【００５５】
また、蓄電デバイス１の温度が上昇したときの金属キャップ１８ｃ、１９ｃとデバイス本体１０との剥離をより効果的に抑制する観点からは、図４〜図７に示すように、第１の金属キャップ１８ｃの端縁１８Ａの第１の主面１０ａ２上に位置している部分と、第２の主面１０ｂ２上に位置している部分と、第１の側面１０ｃ２上に位置している部分と、第２の側面１０ｄ２上に位置している部分とのうちの少なくとも２つ以上の部分に、法線が長さ方向Ｌに対して傾斜した部分が設けられていることが好ましく、全ての部分に、法線が長さ方向Ｌに対して傾斜した部分が設けられていることがより好ましい。第２の金属キャップ１９ｃの端縁１９Ａの第１の主面１０ａ２上に位置している部分と、第２の主面１０ｂ２上に位置している部分と、第１の側面１０ｃ２上に位置している部分と、第２の側面１０ｄ２上に位置している部分とのうちの少なくとも２つ以上の部分に、法線が長さ方向Ｌに対して傾斜した部分が設けられていることが好ましく、全ての部分に、法線が長さ方向Ｌに対して傾斜した部分が設けられていることがより好ましい。
【００５６】
上述のように、蓄電デバイス１では、第１及び第２の金属キャップ１８ｃ、１９ｃの端縁１８Ａ、１９Ａが、それぞれ、波状に設けられている。このため、端縁１８Ａ、１９Ａが、それぞれ、法線方向が相互に異なる複数の部分を有する。よって、例えば、蓄電デバイス１を半田等を用いて実装する際に、ツームストーン現象が発生しにくくなる。従って、蓄電デバイス１を所望の位置に、所望の姿勢で容易に実装し得る。
【００５７】
蓄電デバイス１においては、第１及び第２の接着層１８ｄ，１９ｄは、それぞれ、第１及び第２の導電性接着層１８ｂ、１９ｂよりも低い水分透過度を有することが好ましい。この構成によれば、蓄電デバイス１の機能部１０Ａ内に水分が侵入することが効果的に抑制される。機能部１０Ａへの水分の侵入をより効果的に抑制する観点からは、第１及び第２の接着層１８ｄ，１９ｄは、それぞれ、第１及び第２の導電性接着層１８ｂ、１９ｂの水分透過度の０．５倍以下の水分透過度を有することが好ましく、０．１倍以下の水分透過度を有することがより好ましい。
【符号の説明】
【００５８】
１        ：蓄電デバイス
１０      ：デバイス本体
１０Ａ    ：機能部
１０ａ１  ：第１の主面
１０ｂ１  ：第２の主面
１０ｃ１  ：第１の側面
１０ｄ１  ：第２の側面
１０ｅ１  ：第１の端面
１０ｆ１  ：第２の端面
１０Ｂ    ：外装体
１０ａ２    ：第１の主面
１０ｂ２  ：第２の主面
１０ｃ２  ：第１の側面
１０ｄ２  ：第２の側面
１０ｅ２    ：第１の端面
１０ｆ２  ：第２の端面
１１      ：第１の内部電極
１１ａ    ：第１の集電体
１１ｂ    ：第１の活物質層
１２      ：第２の内部電極
１２ａ    ：第２の集電体
１２ｂ    ：第２の活物質層
１３      ：電解質層
１３ａ    ：第１の電解質層
１３ｂ    ：第２の電解質層
１５      ：絶縁層
１５ａ    ：第１の絶縁層
１５ｂ    ：第２の絶縁層
１６      ：接着層
１７      ：蓄電ユニット
１８      ：第１の外部電極
１８ａ    ：第１の電極膜
１８ｂ    ：第１の導電性接着層
１８ｃ    ：第１の金属キャップ
１８ｄ      ：第１の接着層
１９      ：第２の外部電極
１９ａ    ：第２の電極膜
１９ｂ    ：第２の導電性接着層
１９ｃ    ：第２の金属キャップ
１９ｄ      ：第２の接着層
【図１】
2019004099.tif 000003
【図２】
2019004099.tif 000004
【図３】
2019004099.tif 000005
【図４】
2019004099.tif 000006
【図５】
2019004099.tif 000007
【図６】
2019004099.tif 000008
【図７】
2019004099.tif 000009